(57)【特許請求の範囲】
【請求項１】
湾曲したセグメントの複数枚を左右の側板の間に上下方向に並べて形成したセグメント列を前後に配列してそのセグメント列の間に形成された商品通路、および該商品通路の下部に、略垂直に配備したガイド板および該ガイド板に平行に配備して下部に商品の搬出、停止を制御する搬出板を取付けた壁面の間に横倒しにした円筒形の商品を積み重ねて上下一列に並べて保持する商品搬出機構を有する商品収納棚と、商品収納棚から搬出された商品を商品取出口まで転動させて搬出するシュートを備える自動販売機において、前記商品収納棚の下部に、該商品収納棚から搬出される商品がシュートに到達するまで商品収納棚からの搬出時の姿勢を保たせる姿勢制御機構を設け、前記姿勢制御機構を、商品搬出機構の下方に湾曲したセグメントを上下に並べたセグメント列にうち、前側のセグメント列の下端はシュートと前記下端との隙間を商品が転動できる最小寸法とし、前記前側のセグメント列から商品が通過する通路分の間隔をあけて配備した後ろ側のセグメント列は、最下端のセグメントの下端が前記シュートと略接触するようにした前後のセグメント列で構成したことを特徴とする自動販売機。
【発明の詳細な説明】
【０００１】
【発明の属する技術分野】
この発明は、円筒形の商品を積み重ねて上下一列に並べて保持し、販売指令に従って商品を一個宛搬出する商品搬出機構を有する商品収納棚と、商品収納棚から搬出された商品を商品取出口にまで転動させて搬出するシュートとを備えた自動販売機に関する。
【０００２】
【従来の技術】
図２は従来例の構成断面図を示す。この図２において、商品収納棚１は、湾曲したセグメント２の複数枚を左右の側板３の間に上下方向に並べて形成したセグメント列を前後に配列して、そのセグメント列の間に上下方向の商品通路４を形成し、該商品通路４の下部に横倒しにした円筒形の商品６を積み上げて上下一列に並べて保持できる間隔を開けて対向配備したガイド板５ａ、および下部に商品６の搬出、停止を制御する搬出板５ｃを有する壁面５ｂで形成する商品搬出機構５を具備している。８はトップトレーであり、商品通路４の上端と後述の断熱扉の上部に開口した商品投入口Ｅとを連携している。９は商品収納棚１から搬出された商品６を転動させて外扉１０に設けた商品取出口１１に搬出するシュートである。１２は前記商品収納棚１、シュート９などを収納する、断熱材で形成し前面に揺動可能な断熱扉１３を備えた収納庫１４を内臓する本体キャビネットであり、前記外扉１０を開閉可能に支持している。
【０００３】
なお、前記断熱扉の下部には商品取出口１１に臨ませて搬出口１１ａが開口しており、該搬出口１１ａを閉鎖するフラッパ１１ｂが揺動可能に取付けられている。この図２において、商品収納棚１は本体キャビネット１２の内部を断熱区画して形成した収納庫１４の天井から吊り下げて取付けられており、セグメント列間に形成した商品通路４と、収納庫１４の前面を閉鎖する断熱扉１３の上部の商品投入口Ｅとはトップトレー８で連携されている。
【０００４】
また、商品収納棚１の下方には該商品収納棚１の商品搬出機構５から搬出された商品６を外扉１０の下部の商品取出口１１まで、断熱扉１３の下部の搬出口１１ａに揺動可能に取付けられたフラッパ１１ｂを商品６の自重で押し開けて搬出するシュータ９が配備されており、これらを収納した収納庫１４は温調ユニットからの送風により冷温いずれかの状態に保持されている。
【０００５】
図において、商品収納棚１に商品６を補充する際は、外扉１０を開放した後、断熱扉１３の上部に開口した商品投入口Ｅに横倒しにした商品を投入しトップトレー８上を転動させて商品通路に導きそこで保存する。そして、販売指令に従って選択された商品は、所定の商品収納棚１の商品搬出機構５の搬出板５ｃの動作により一個宛搬出されてシュート９上に落とされ、該シュート９上を転動して断熱扉１３の搬出口１１ａのフラッパ１１ｂを押し開けて商品取出口１１に搬出される。
【０００６】
商品取出口１１に搬出された商品６は商品取出口１１の前面を揺動可能に閉鎖する扉を開けることにより取出し可能となる。
【０００７】
【発明が解決しようとする課題】
ところで従来の構成では、商品収納棚からシュートへ商品を搬出する際に商品の姿勢を制御する装置を備えていない。そこで商品の姿勢が変化することを考慮して、図３に示すように、断熱扉の下部の搬出口を最大商品の対角線の寸法以上の高さにしているので、以下の問題があった。
【０００８】
１）搬出口の寸法が大きい分フラッパでの断熱性が損なわれ、また、収納庫が冷蔵庫として使用されている際はフラッパへの結露が多くなる。
２）商品収納棚の下端とシュートとの距離が大きく離れていると商品に加わる衝撃が大きいために、衝撃を和らげるクッションを取付ける、またはシュートに緩衝用スプリングを取付けるなどの泡吹き防止機構が必要になる。
【０００９】
３）フラッパが大きいために外部から手が進入する（図４）のを防止する防盗構造が必要になる。
この発明は上記課題を解決するためになされたもので、その目的とするところは、商品収納棚から搬出する商品の姿勢が横倒し状態で変化しないように搬出して断熱扉の搬出口高さを必要最小限にして、収納庫内の断熱性を高めるとともに、泡吹き防止機構を無くした自動販売機を提供することにある。
【００１０】
【課題を解決するための手段】
上記課題を解決するためにこの発明は、湾曲したセグメントの複数枚を左右の側板の間に上下方向に並べて形成したセグメント列を前後に配列してそのセグメント列の間に形成された商品通路、および該商品通路の下部に、略垂直に配備したガイド板および該ガイド板に平行に配備して下部に商品の搬出、停止を制御する搬出板を取付けた壁面の間に横倒しにした円筒形の商品を積み重ねて上下一列に並べて保持する商品搬出機構を有する商品収納棚と、商品収納棚から搬出された商品を商品取出口まで転動させて搬出するシュートを備える自動販売機において、前記商品収納棚の下部に、該商品収納棚から搬出される商品がシュートに到達するまで商品収納棚からの搬出時の姿勢を保たせる姿勢制御機構を設け、前記姿勢制御機構を、商品搬出機構の下方に湾曲したセグメントを上下に並べたセグメント列にうち、前側のセグメント列の下端はシュートと前記下端との隙間を商品が転動できる最小寸法とし、前記前側のセグメント列から商品が通過する通路分の間隔をあけて配備した後ろ側のセグメント列は、最下端のセグメントの下端が前記シュートと略接触するようにした前後のセグメント列で構成したことを特徴とする。
【００１１】
上記構成により商品搬出機構から搬出された商品は、セグメント列により、例えば水平状態が崩れて長手方向のいずれか一方が下になるとその部分がセグメントに当たり落下速度が制限されてセグメントに当たっていない他方が追いつき水平状態に戻る作用が働き、前後方向にずれた場合も同様に前後方向に略直角にする作用が働くので商品はシュート上に落下した時点でも商品搬出機構から搬出された姿勢に保つことが可能になる。
【００１２】
【発明の実施の形態】
図１はこの発明の実施の形態の主要部の構成図を示す。この図１において、従来例と同一の符号を付けた部材はおおよそ同一の機能を有するのでその説明は省略した。この図１において、商品収納棚１は、湾曲したセグメントの複数枚を左右の側板の間に上下方向に並べて形成したセグメント列を前後に配列して、そのセグメント列の間に上下方向の商品通路を形成し（図２参照）、該商品通路の下部に横倒しにした円筒形の商品６を積み重ねて上下一列に並べて保持できる間隔を開けて対向配備したガイド板５ａ、および下部に商品６の搬出、停止を制御する搬出板５ｃを有する壁面５ｂで形成する商品搬出機構５と、商品搬出機構５の下部に湾曲したセグメントを上下に並べたセグメント列を、前側のセグメント列７Ａａの下端は後述のシュートと前記下端との隙間を商品が転動できる限度に近づけた位置まで延ばして、前記前側のセグメント列７Ａａから商品６が通過する通路分の間隔を開けて配備した後ろ側のセグメント列７Ａｂは、最下端のセグメントの上部を揺動可能に保持するとともに、該セグメントの下端が前記シュートと略接触する位置まで延ばした前後のセグメント列７Ａａ、７Ａｂで構成する姿勢制御機構７Ａを具備している。９は商品収納棚１から搬出された商品６を転動させて外扉１０に設けた商品取出口１１に搬出するシュートである。１２は前記商品収納棚１、シュート９などを収納する、断熱材で形成し前面に揺動可能な断熱扉１３を備えた収納庫１４を内臓する本体キャビネットであり、前記外扉１０を開閉可能に支持している。
【００１３】
なお、前記断熱扉の下部には商品取出口に臨ませて搬出口１５が開口しており、該搬出口１５を揺動可能に閉鎖するフラッパ１６が取付けられている。
【００１４】
【発明の効果】
この発明の構成によれば、フラッパの高さを最小にすることにより収納庫の断熱性を高めて省エネルギにつながる効果がある。また、フラッパ部での結露量が減少するのでドレーン水を削減する効果がある。また、姿勢制御機構を、商品搬出機構の下方に湾曲したセグメントを上下に並べたセグメント列にうち、前側のセグメント列の下端はシュートと前記下端との隙間を商品が転動できる最小寸法とし、前記前側のセグメント列から商品が通過する通路分の間隔をあけて配備した後ろ側のセグメント列は、最下端のセグメントの下端が前記シュートと略接触するようにした前後のセグメント列で構成したことにより、フラッパ高さを最小にしたことと相俟って商品取出口から商品搬出機構まで手を挿入することが困難になるので防盗処理を施さなくても防盗の効果を生じ、さらに商品がシュート上に落下する際の衝撃が少なくなり、炭酸飲料の泡吹き防止機構を無くすることが可能になりその分シュート周りを簡略化する効果がある。
【図面の簡単な説明】
【図１】  この発明の形態の主要部分の構成図
【図２】  従来の構成断面図
【図３】  図２のシュート近辺の拡大図
【図４】  図３で商品取出口から収納庫内に手を進入させた図
【符号の説明】
５     商品搬出機構
５ａ  ガイド板
５ｂ  壁面
５ｃ  搬出板
７Ａ  姿勢制御機構
７Ａａ  前側のセグメント列
７Ａｂ  後ろ側のセグメント列
１１   商品取出口
１５   搬出口
１６   フラッパ
【図１】
0003777807.tif 000002
【図２】
0003777807.tif 000003
【図３】
0003777807.tif 000004
【図４】
0003777807.tif 000005